(57)【特許請求の範囲】
【請求項１】
抄紙設備により抄造された薄葉紙を巻き取った一次原反ロールから連続的にマルチスタンド式インターフォルダに供するティシュペーパー製品用の二次原反ロールを製造するプライマシンにおいて；
複数の一次原反ロールから繰り出される坪量１０〜２０ｇ/ｍ2のクレープ紙からなる一次連続シートをその連続方向に沿って積層して積層連続シートとした後、その積層連続シートに対してグリセリン及び水を含む水系の薬液を塗工することとして、その薬液が塗工された後の積層連続シートを搬送する過程で、その薬液塗工紙面に波長１．８μｍ〜２．５μｍの近赤外線を照射してグリセリンの吸光度を測定するとともに、検量線データとの比較によって得られるグリセリン量から薬液塗工量を算出する、ことを特徴とする薬液塗工連続シート中の薬液含有量を搬送過程で測定する方法。
【請求項２】
前記紙面の吸光度測定部位を積層連続シートの幅方向に連続的又は段階的に走査させる請求項１記載の薬液塗工連続シート中の薬液含有量を搬送過程で測定する方法。
【請求項３】
抄紙設備により抄造された薄葉紙を巻き取った一次原反ロールから連続的にティシュペーパー製品用の複数の二次原反ロールを製造するプライマシンであって；
複数の坪量１０〜２０ｇ/ｍ2のクレープ紙からなる前記一次原反ロールから繰り出される一次連続シートをその連続方向に沿って積層して積層連続シートとする積層手段と、
積層連続シートに対して水及びグリセリンを含む水系薬液を塗工する薬液塗工手段と、
前記薬液が塗工された薬液塗工積層連続シートを搬送する過程で、その薬液塗工紙面に波長１．８μｍ〜２．５μｍの近赤外線を照射してグリセリンの吸光度を測定し、検量線データとの比較によって得られるグリセリン量から薬液塗工量を算出する薬液塗工量測定手段と、
薬液塗工量測定手段の後段において積層連続シートをティシュペーパー製品の製品幅又はその複数倍幅となるようにスリットするスリット手段と、
前記スリット手段でティシュペーパー製品の製品幅又はその複数倍幅にスリットされた薬液塗工連続シートを同軸で巻取り、マルチスタンド式インターフォルダに供するための複数の二次原反ロールを形成する巻取り手段と、を有することを特徴とするティシュペーパー製品用二次原反ロールの製造設備。
【請求項４】
前記薬液塗工量測定手段は、吸光度を検出する紙面に対面する検出部が、薬液塗工連続シートの幅方向に連続的又は段階的に移動可能とされている請求項２記載のティシュペーパー製品用二次原反ロールの製造設備。
【請求項５】
薬液が塗布されたティシュペーパー製品の製造方法であって、
抄紙設備により抄造され巻き取られた一次原反ロールから連続的にティシュペーパー製品用の二次原反ロールを製造するプライマシンにおいて；
複数の坪量１０〜２０ｇ/ｍ2のクレープ紙からなる前記一次原反ロールから繰り出される一次連続シートをその連続方向に沿って積層して積層連続シートとする積層工程と、
積層連続シートに対してグリセリン及び水を含む水系の薬液を塗工する薬液塗工工程と、
薬液が塗工された積層連続シートに対して層間剥離を防止するライン状のコンタクトエンボスを施すコンタクトエンボス工程と、
薬液が塗工されコンタクトエンボスが施された積層連続シートをティシュペーパー製品の製品幅又はその複数倍幅となるようにスリットするスリット工程と、
スリットされた各積層連続シートを同軸で巻取ってティシュペーパー製品の製品幅又はその複数倍幅の複数の二次原反ロールを形成する巻取り工程とを行い、
かつ、前記薬液が塗工された連続シートを搬送する過程で、その薬液塗工紙面に波長１．８μｍ〜２．５μｍの近赤外線を照射してグリセリンの吸光度を測定し、検量線データとの比較によって得られるグリセリン量から薬液塗工量を算出し；
かつ、前記プライマシンにより製造された薬液が塗工された複数の二次原反ロールをマルチスタンド式インターフォルダにて折り畳む工程を有する、ことを特徴とする、薬液が塗工されたティシュペーパー製品の製造方法。
【発明の詳細な説明】
【技術分野】
【０００１】
本発明は、薬液塗工連続シート中の薬液塗工量を搬送過程で測定する方法、ティシュペーパー製品用二次原反ロールの製造設備及び薬液が塗工されたティシュペーパー製品の製造方法に関するものである。
【背景技術】
【０００２】
＜ティシュペーパー製品＞
複数枚のティシュペーパーからなる束が収納箱内に収納され、その収納箱（カートン箱或いはティシュカートンとも称される）の一面に設けられた取り出し口からティシュペーパーを順次一枚ずつ引き出して使用するティシュペーパー製品はよく知られる（一枚を取り出すとそれに連続して次ぎの一枚が取出し口から引き出される形式をポップアップ式ともいう）。
このティシュペーパー製品においては、収納されるティシュペーパーに保湿剤、柔軟剤、などの薬液（通常「ローション薬液」とも呼ばれる）を塗工した薬液塗工タイプのものと、薬液等が塗工されていない汎用品或いは汎用タイプのものがある。
薬液が塗工されたティシュペーパーは、表面の滑らかさや柔らかさにおいて汎用品のものよりも優れる。
薬液塗工タイプの製品は、花粉症やインフルエンザが流行する時期など洟をかむ機会が増える時期に需要が増加する傾向にあったが、近年では、表面の滑らかさや柔らかさ等の使用感における利点が評価され、季節、時期を問わずに使用されるようになってきており、その需要は拡大している。
【０００３】
＜薬液塗工タイプの製品に用いられる薬液＞
薬液塗工タイプの製品に用いられる薬液は種々存在するが、大きく水及びポリオールを含む水系薬液、主に非水溶性のワックス等を含み常温で半固形である油系薬液に大別される。水系薬液は取り扱い性に優れ安価であるという特徴がある。
また、水系薬液はシートに塗工した場合にシートを構成するパルプ繊維との親和性に優れ、シートの厚み方向（Ｚ方向とも称される）に含浸し、シート全体及びその表面性を改質するように作用する。これに対して油系薬液は主にその表面をコーティングするように作用し、表面の滑らかさを向上させるように作用する。
そして、水系薬液は、シートに含浸することから塗工後にシートに塗工されたクレープを伸ばす作用が大きいが、油系薬液ではそのような作用が小さい。
この両者の特質によって製造上の問題点等の課題において異なるところがある。
そして、安価、大量生産に適しているのは水系薬液である。
【０００４】
＜ティシュペーパー製品の従来の製造方法の概要＞
ティシュペーパー製品の製造の流れは次のとおりである。
まず、抄紙設備においてクレープを有する薄葉紙（クレープ紙とも称される）を抄造し、これを巻き取って一次原反ロール（一般にジャンボロールとも称される）を製造する。
次いで、この一次原反ロールをプライマシンに必要数セットし、セットされた各一次原反ロールから一次連続シートを繰り出すとともに、適宜重ね合わせて積層一体化し、巻き取って複数のプライ（積層された）から積層連続シートからなる二次原反ロールを製造する。
次いで、二次原反ロールから順次二次連続シートを繰り出し、この二次連続シートをインターフォルダと呼ばれる折畳み設備に供給し、二次連続シートを折畳むとともに順次積層してティシュペーパー束を製造し、このティシュペーパー束を収納箱内に収納してティシュペーパー製品とする。
【０００５】
＜ティシュペーパー製品の製造に用いられるインターフォルダの種類＞
ここで、ティシュペーパー製品に用いるティシュペーパー束を製造するにあたっては、マルチスタンド式（多連式）インターフォルダ（下記特許文献４、５）とロータリー式インターフォルダ（特許文献６、７）の２種のインターフォルダが使用されている。
前者のマルチスタンド式インターフォルダは、特許文献４、５にも示されるように、折り板を有する折畳み機構部がライン流れ方向に多数（通常８０〜１２０機）並設されており、各折畳み機構部対して同時にティシュペーパーの幅と同幅にスリットした二次連続シートを２シート並べて連続的に供給すると、各折畳み機構部で二枚の二次連続シートを折り畳みが行なわれるとともに、ライン上流側の折畳み機構で折り畳まれた二次連続シートの上にそれよりもライン下流側の折畳み機構部で折り畳まれた二次連続シートが順次積層され、最下流において必要枚数が積層された連続積層シート束が形成される。ここで折畳み機構部の１機とは、二次連続シートを２シート並べ各シートを互いに内側に折り込むように折り畳む設備の単位であり、マルチスタンド式インターフォルダの基本となる機構部の単位である。
一方、ロータリー式インターフォルダは、一対の二次原反ロールから繰り出された各二次連続シートを先端側から裁断しつつ回転式の折りロールによって折り畳み、その裁断し折り畳まれた各二次原反ロールからのシートが順次重ね合わせられて積層シート束を形成する。
したがって、このロータリー式インターフォルダでは、連続操業の中で所定の積層枚数のところで適宜マーキングして手動で分割する、あるいは所定積層枚数のところで自動で分割するなどして積層シート束を得る操作を要する。しかも得られる積層シート束は、二次原反ロールの幅長とほぼ同じ長さの比較的短いものである。このためマルチスタンド式インターフォルダと比較すると生産性には劣る。
具体例を例示すれば、ロータリー式インターフォルダでは、ティシュペーパーの幅の５倍幅の原反ロールを用いて、加工速度を１００ｍ／分でティシュペーパー束を生産すると、約２５束／分要しているのに対して、マルチスタンド式インターフォルダでは、加工速度を１００ｍ／分で４３５束／分を生産することが可能である。
このため、マルチスタンド式インターフォルダは多くの生産量が必要とされる汎用タイプの製品の製造に用いられ、汎用タイプに比して生産量が少ない薬液塗工タイプの製造はロータリー式インターフォルダにより製造されるのが一般的である（例えば、下記特許文献１）。さらに、薬液塗工タイプの製品を製造するにあたってロータリー式インターフォルダが用いられるもう一つの大きな理由は、生産性以外にオンラインで薬液塗工が可能であることがある。
しかし、上述のとおり需要拡大による生産量増加を考慮すると、薬液塗工ティシュペーパーにおいてもマルチスタンドインターフォルダでの製造が望まれる。
【０００６】
＜薬液塗工タイプのティシュペーパー束をマルチスタンド式インターフォルダにより製造する場合の課題＞
薬液塗工タイプ製品の生産性を向上させるべくマルチスタンド式インターフォルダを採用する場合には、オフラインで薬液が塗工された二次原反ロール（薬液塗工二次原反ロール）を製造する必要がある。すなわち、プリンタ設備等の薬液塗工設備や一次原反ロールから二次原反ロールを製造するプライマシン等の前段設備において薬液塗工を行なう必要がある。プライマシンは元来高速に可動する設備であるため、プライマシンで薬液塗工を行なうのは極めて生産性の点では有用である。
しかし、この薬液塗工については、別途の薬液塗工設備で薬液塗工を行なうにしても、プライマシンで薬液を塗工するにしても、生産性の高いマルチスタンド式インターフォルダの生産速度に見合う二次原反ロールを供給すべく、高速な薬液塗工が要求されることとなる。特に、プライマシンは元来高速に可動する設備であるため、プライマシンで薬液塗工を行なう場合には必然的に高速な薬液塗工が要求される。
他方で、薬液塗工を行なう場合、薬液粘度が温度に依存するため設備周辺気温等によって薬液塗工量が変化することや、連続シートの表面性や厚みの変化によっても塗布量が変化することなどから、品質管理上、設備トラブル防止のために塗工不良の発見、塗布量の調整のために連続シートに塗工された薬液塗工量を測定する必要がある。
そして、上述の高速生産のために高速時に、薬液を塗工する場合には、その薬液塗工量の測定も迅速・高速に精査することが必要となるが、後述の従来の薬液塗工量の測定方法は、そのような迅速・高速な塗工・生産に対応できないものである。
従って、この薬液塗工量測定が結果的に薬液塗工タイプのティシュペーパー束をマルチスタンド式インターフォルダにより生産性よく製造することを困難ならしめている。
【０００７】
＜従来の薬液塗工量の測定方法と問題点＞
従来、薬液塗工不良の発見等のために薬液塗工連続シートにおける薬液塗工量を測定するには、まず、薬液塗工ユニットをもつ設備（低速可動のプリンタ等の薬液塗工設備やオンライン塗布のロータリー式インターフォルダ）で連続シートに薬液を塗布せず空通し行なって操業を停止させて一旦連続シートの流れを止め、その塗布しない連続シートの単位面積当たりの質量を測定し、その後に連続シートに薬液塗布し、再び操業を停止させて連続シートの流れを止め、塗布した直後にシートの薬液塗布した部分の単位面積当たりの質量を測定する。すなわち連続シートの薬液塗工部分の坪量と薬液非塗工部分の坪量を測定し、それらの差から薬液塗工量を算出することにより行なっていた。
また、連続シートに薬液を塗工する場合、塗工ムラは連続シートの幅方向（シートの搬送方向（流れ方向）に直交する方向、ＣＤ方向とも言われる）で発生することが多く、このため連続シートの幅方向において数点サンプリングして測定する必要があり、測定時間もかかる。
このように従来塗工量の測定は、設備の稼働を停止させるため生産性が悪化する。従来の要求されていた薬液塗工タイプの生産量、あるいは低速のロータリー式インターフォルダでの生産であれば、このような設備停止の影響は小さいが、高速設備を停止させることになればその悪影響は顕著である。
そして、例えば、プライマシンにおいて薬液塗工を行なおうとする場合には、薬液塗工工程に加えてシートの積層工程も同時に停止させることになるため、より生産性の低下を招くことになる。従って、この薬液塗工量の測定は、高速に可動し、マルチスタンド式インターフォルダへの十分な薬液塗工原反ロールの供給を可能にするプライマシンでの薬液塗工を困難ならしめているともいえる。
【先行技術文献】
【特許文献】
【０００８】
【特許文献１】米国特許４０５２０４８号公報（特公昭５５−１２１５号公報）
【特許文献２】特開２００６−２４０７５０号公報
【特許文献３】特開昭６１−３７６６８号公報
【特許文献４】特開平５−１２４７７０号公報
【特許文献５】特開２００４−３２２０３４号公報
【特許文献６】特表２００８−５２５１０３号公報
【特許文献７】特開２００８−２６４５６４号公報
【発明の概要】
【発明が解決しようとする課題】
【０００９】
そこで、本発明の主たる課題は、連続シートに塗工した水系薬液の塗工量を連続シートの流れを止めることなく迅速に測定することを可能にし、もってマルチスタンド式インターフォルダでの生産性に見合う薬液が塗工された二次原反ロールを効率よく生産可能にすることにある。
【課題を解決するための手段】
【００１０】
上記課題を解決するための手段及びそれらの作用効果は次記のとおりである。
＜請求項１記載の発明＞
抄紙設備により抄造された薄葉紙を巻き取った一次原反ロールから連続的にマルチスタンド式インターフォルダに供するティシュペーパー製品用の二次原反ロールを製造するプライマシンにおいて；
複数の一次原反ロールから繰り出される坪量１０〜２０ｇ/ｍ2のクレープ紙からなる一次連続シートをその連続方向に沿って積層して積層連続シートとした後、その積層連続シートに対してグリセリン及び水を含む水系の薬液を塗工することとして、その薬液が塗工された後の積層連続シートを搬送する過程で、その薬液塗工紙面に波長１．８μｍ〜２．５μｍの近赤外線を照射してグリセリンの吸光度を測定するとともに、検量線データとの比較によって得られるグリセリン量から薬液塗工量を算出する、ことを特徴とする薬液塗工連続シート中の薬液含有量を搬送過程で測定する方法。
【００１１】
【００１２】
＜請求項２記載の発明＞
前記紙面の吸光度測定部位を積層連続シートの幅方向に連続的又は段階的に走査させる請求項１記載の薬液塗工連続シート中の薬液含有量を搬送過程で測定する方法。
【００１３】
＜請求項３記載の発明＞
抄紙設備により抄造された薄葉紙を巻き取った一次原反ロールから連続的にティシュペーパー製品用の複数の二次原反ロールを製造するプライマシンであって；
複数の坪量１０〜２０ｇ/ｍ2のクレープ紙からなる前記一次原反ロールから繰り出される一次連続シートをその連続方向に沿って積層して積層連続シートとする積層手段と、
積層連続シートに対して水及びグリセリンを含む水系薬液を塗工する薬液塗工手段と、
前記薬液が塗工された薬液塗工積層連続シートを搬送する過程で、その薬液塗工紙面に波長１．８μｍ〜２．５μｍの近赤外線を照射してグリセリンの吸光度を測定し、検量線データとの比較によって得られるグリセリン量から薬液塗工量を算出する薬液塗工量測定手段と、
薬液塗工量測定手段の後段において積層連続シートをティシュペーパー製品の製品幅又はその複数倍幅となるようにスリットするスリット手段と、
前記スリット手段でティシュペーパー製品の製品幅又はその複数倍幅にスリットされた薬液塗工連続シートを同軸で巻取り、マルチスタンド式インターフォルダに供するための複数の二次原反ロールを形成する巻取り手段と、を有することを特徴とするティシュペーパー製品用二次原反ロールの製造設備。
【００１４】
＜請求項４記載の発明＞
前記薬液塗工量測定手段は、吸光度を検出する紙面に対面する検出部が、薬液塗工連続シートの幅方向に連続的又は段階的に移動可能とされている請求項２記載のティシュペーパー製品用二次原反ロールの製造設備。
【００１５】
＜請求項５記載の発明＞
薬液が塗布されたティシュペーパー製品の製造方法であって、
抄紙設備により抄造され巻き取られた一次原反ロールから連続的にティシュペーパー製品用の二次原反ロールを製造するプライマシンにおいて；
複数の坪量１０〜２０ｇ/ｍ2のクレープ紙からなる前記一次原反ロールから繰り出される一次連続シートをその連続方向に沿って積層して積層連続シートとする積層工程と、
積層連続シートに対してグリセリン及び水を含む水系の薬液を塗工する薬液塗工工程と、
薬液が塗工された積層連続シートに対して層間剥離を防止するライン状のコンタクトエンボスを施すコンタクトエンボス工程と、
薬液が塗工されコンタクトエンボスが施された積層連続シートをティシュペーパー製品の製品幅又はその複数倍幅となるようにスリットするスリット工程と、
スリットされた各積層連続シートを同軸で巻取ってティシュペーパー製品の製品幅又はその複数倍幅の複数の二次原反ロールを形成する巻取り工程とを行い、
かつ、前記薬液が塗工された連続シートを搬送する過程で、その薬液塗工紙面に波長１．８μｍ〜２．５μｍの近赤外線を照射してグリセリンの吸光度を測定し、検量線データとの比較によって得られるグリセリン量から薬液塗工量を算出し；
かつ、前記プライマシンにより製造された薬液が塗工された複数の二次原反ロールをマルチスタンド式インターフォルダにて折り畳む工程を有する、ことを特徴とする、薬液が塗工されたティシュペーパー製品の製造方法。
【００１６】
【００１７】
【発明の効果】
【００１８】
本発明の薬液塗工量の測定方法は、赤外分光法を用いて非接触で搬送される連続シートの薬液塗工量を連続的に測定する。水及びグリセリンを含む溶液を、セルロースを主成分とするシートに塗布し、そのシート内のグリセリン量を赤外分光法で測定するには近赤外域波長での測定が必要だが、水とグリセリン、セルロースのヒドロキシ基の吸収波長が近くグリセリン量の測定は困難であると考えられおり、また従来その必要性もなかったため調査がされていなかった。しかし、本発明者らの鋭意研究の結果、連続シート、特にセルロースを主原料とするクレープ紙からなる連続シートに塗工して測定した場合において、波長１．８μｍ〜２．５μｍの近赤外光の透過率曲線から複数の特定波長での吸光度のピークが判別され、それらの吸光度のピーク強度と水およびセルロースの前記の複数の特定波長での吸光度のピークとの差異から計算される指標に基き、多変量解析により作成される検量線によって精度よく測定可能であることが知見された。
【００１９】
したがって、本発明に基づき赤外線分光法によりグリセリンの吸光度を測定し連続シートに塗工された薬液塗工量を測定すると、薬液塗工設備の運転を止めることなく連続シートに塗工された薬液塗工量を連続的に検出可能となる。これにより薬液塗工量の測定がティシュペーパーの生産性の阻害となることがなくなる。
【００２０】
また、特に７００ｍ／分の高速で搬送される連続シートに対しても、その流れる薬液塗工連続シートを測定しても極めて精度よく測定可能であり、これにより、プライマシン等の高速設備における迅速・高速かつ高品質な薬液塗工が可能となる。よって、マルチスタンド式インターフォルダに対応可能な薬液塗工二次原反ロールの生産が可能になる。
【００２１】
また、薬液塗工積層連続シートと測定部とが非接触であることから、薬液塗工積層連続シートに物性的な変化をもたらさず、測定による製品品質への影響がない点も本発明の効果である。
【図面の簡単な説明】
【００２２】
【図１】一次原反ロールの製造設備及び製造方法を示す概略図である。
【図２】二次原反ロールの製造設備及び製造方法を示す概略図である。
【図３】本発明にかかるフレキソ印刷を行なう形態の説明図である。
【図４】本発明にかかるチャンバー方式のフレキソ印刷の説明図である。
【図５】本発明にかかるチャンバー方式のフレキソ印刷の説明図である。
【図６】本発明にかかるチャンバー方式のフレキソ印刷の説明図である。
【図７】本発明にかかるチャンバー方式のフレキソ印刷の説明図である。
【図８】本発明にかかるチャンバー方式のフレキソ印刷の説明図である。
【図９】本発明にかかる２ロール転写方式のフレキソ印刷の説明図である。
【図１０】本発明において薬液塗工手段としてスプレー塗工を用いた構成を示す図である。
【図１１】スプレー塗工装置の示す概略図である。
【図１２】スプレー塗工装置を示す概略図である。
【図１３】スプレー塗工装置を示す概略図である。
【図１４】インクジェット印刷機の要部拡大図である。
【図１５】インクジェット印刷機の薬液塗工部を示す斜視拡大図である。
【図１６】インクジェット印刷機のヘッドの内部を示す拡大断面図である。
【図１７】カーテン塗工を説明するための斜視図である。
【図１８】薬液塗工量測定装置の概略図である。
【図１９】コンタクトエンボス加工の説明図である。
【図２０】本発明にかかる検量線グラフである。
【図２１】本発明の試験例にかかる実測データＹと重回帰式を用いた推定値Ｙ’の相関グラフである。
【発明を実施するための形態】
【００２３】
以下、本発明の実施形態について図面を参照しながら詳説する。ここでは、本発明にかかるティシュペーパー製品用の薬液塗工二次原反ロールの製造方法を説明しつつ、本発明の薬液塗工連続シート中の薬液塗工量を搬送過程で測定する方法と、ティシュペーパー製品用二次原反ロールの製造設備を説明する。なお、本発明がこの実施形態に限定されるわけではない。
【００２４】
＜一次原反ロールの製造方法及び製造設備〔抄紙工程〕＞
本発明にかかる薬液塗工二次原反ロールを製造するには、まず、図１に示す抄紙設備例Ｘ１により、一次原反ロールＪＲ（ジャンボロールとも称される）を以下のようにして製造する。
まず、ヘッドボックス３１からパルプスラリーに適宜の薬品を添加して予め調整した紙料をワイヤーパート３２のワイヤ３２ｗ上に供給して湿紙Ｗを形成し（フォーミング工程）、次にこの湿紙Ｗをプレスパート３３のフェルト３３Ｆに移送したにのち対をなす脱水ロール３４，３５によって挟持して脱水する（脱水工程）。
【００２５】
次いで、脱水された湿紙をヤンキードライヤー３６の表面に付着させて乾燥させた後にドクターブレード３７によって掻き剥がしてクレープを有する乾燥原紙Ｓ１（後述の一次連続シート）とする（乾燥工程）。
【００２６】
そして、この乾燥原紙Ｓ１をワインディングドラム３９を有する巻取り手段３８によって、前記乾燥原紙Ｓ１の裏面が一次原反ロールＪＲの軸側に対向するようして（巻き取り内面となるようにして）巻き取り、一次原反ロールＪＲとする（一次原反巻取り工程）。
【００２７】
この一次原反ロールＪＲは、抄紙設備Ｘ１の性能によっても相違するが、概ね直径が１０００〜５０００ｍｍ、長さ（幅）が１５００〜９２００ｍｍ、巻き長さが５０００〜８００００ｍである。
【００２８】
なお、一次原反巻き取り工程の前段にドクターブレード３７により掻き剥がした乾燥原紙Ｓ１に対してカレンダー工程（図示せず）を設け表裏面の平滑化処理をしてもよい。
【００２９】
ここで、乾燥原紙Ｓ１の裏面とは、ヤンキードライヤー３６のシリンダと接していた面の反対側の面のことを意味する。なお、カレンダー工程の有無にもよるが一般には鏡面のヤンキードライヤーに接していた表面のほうが滑らかで表面性に優れる。
【００３０】
ここで、一次原反ロールＪＲを構成する一次連続シートＳ１は、後にティシュペーパー１に加工されるものであり、最終製品を構成するティシュペーパーと同等の坪量となる。従って、これを考慮して一次原反シートＳ１は具体的にはＪＩＳ Ｐ ８１２４による坪量が、１０〜２５ｇ／ｍ2、好ましくは１２〜２０ｇ／ｍ2、より好ましくは１３〜１６ｇ／ｍ2とする。坪量が１０ｇ／ｍ2未満であると、ティシュペーパーの柔らかさの点においては好ましいが、適正な強度を確保することができなくなる。他方、坪量が２５ｇ／ｍ2を超えると、ティシュペーパーが硬くなりすぎて、肌触りが悪化する。また、紙厚（尾崎製作所製ダイヤルシックネスゲージにより測定）は８０〜２５０μｍ、好ましくは１００〜２００μｍ、より好ましくは１３０〜１８０μｍとするのが望ましい。
【００３１】
また、一次連続シートＳ１は、クレープ率が１０〜３０％、好ましくは１２〜２５％、より好ましくは１３〜２０％である。クレープ率が１０％未満であると、後段の加工時に断紙しやすいとともに伸びの少ないコシのないティシュペーパーとなる。他方、クレープ率が３０％超過であると、加工時のシートの張力コントロールが難しく断紙しやすくなり、また、製造後にはシワが発生して見栄えの悪いティシュペーパーとなりやすくなる。
【００３２】
また、一次連続シートＳ１は、ＪＩＳ Ｐ ８１１３に規定される乾燥引張強度（以下、乾燥紙力ともいう）の縦方向が、２プライで２００〜７００ｃＮ／２５ｍｍ、好ましくは２５０〜６００ｃＮ／２５ｍｍ、特に好ましくは３００〜６００ｃＮ／２５ｍｍとされ、他方、横方向が、２プライで１００〜３００ｃＮ／２５ｍｍ、好ましくは１３０〜２７０ｃＮ／２５ｍｍ、特に好ましくは１５０〜２５０ｃＮ／２５ｍｍとされる。原紙の乾燥引張強度が低すぎると、製造時及び使用時の断紙や伸び等のトラブルが発生し易くなり、高過ぎると使用時にごわごわした肌触りとなる。
【００３３】
これらの紙力は公知の方法により調整でき、例えば、乾燥紙力増強剤を紙料或いは湿紙に内添する、紙料のフリーネスを低下（例えば３０〜４０ｍｌ程度低下）させる、原料パルプのＮＢＫＰ配合率を増加（例えば５０％以上に）する等の既知の手法を適宜組み合わせることができる。
【００３４】
なお、乾燥紙力剤としては、澱粉、ポリアクリルアミド、ＣＭＣ（カルボキシメチルセルロース）若しくはその塩であるカルボキシメチルセルロースナトリウム、カルボキシメチルセルロースカルシウム、カルボキシメチルセルロース亜鉛等を用いることができる。湿潤紙力剤としては、ポリアミドポリアミンエピクロルヒドリン樹脂、尿素樹脂、酸コロイド・メラミン樹脂、熱架橋性塗工ＰＡＭ等を用いることができる。
【００３５】
湿潤紙力剤を内添する場合、その添加量はパルプスラリーに対する重量比で５〜２０ｋｇ／ｔ程度とすることができる。また、乾燥紙力剤を内添する場合、その添加量はパルプスラリーに対する重量比で０．５〜１．０ｋｇ／ｔ程度とすることができる。
【００３６】
［紙料］
ここで、一次原反ロール（一次原反シート）の原料となる紙料について説明すると、紙料は繊維原料としてパルプを主原料とするスラリー（パルプスラリー）に適宜の薬品を添加したものである。
【００３７】
本発明においては、原料パルプは特に限定されず、この種のティシュペーパーに用いられる適宜の原料パルプを選択して使用することができる。具体例としては、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００３８】
なかでも原料パルプは、ＮＢＫＰとＬＢＫＰとを配合したものが好ましい。適宜古紙パルプが配合されていてもよいが、ローション薬液との相性がよく、塗工後に折り畳む本発明の製造方法において望ましく、また得られるティシュペーパーの風合いの点でも望ましいことから、バージンパルプのＮＢＫＰとＬＢＫＰのみから構成されているのがよく、その場合の配合割合（ＪＩＳ Ｐ ８１２０）としては、ＮＢＫＰ：ＬＢＫＰ＝２０：８０〜８０：２０がよく、特に、ＮＢＫＰ：ＬＢＫＰ＝３０：７０〜６０：４０が望ましい。
【００３９】
紙料に添加する薬品例としては、乾燥紙力増強剤、湿潤紙力増強剤、柔軟剤、剥離剤、接着剤、苛性ソーダ等のｐＨ調整剤、粘剤、消泡剤、防腐剤、スライムコントロール剤、染料、などが挙げられる、なお、これらの薬品は、適宜の工程で湿紙に塗工してもよい。
【００４０】
＜二次薬液塗工原反ロールの製造方法及び製造設備＞
抄紙設備で製造された一次原反ロールＪＲは、図２に示す二次原反ロールの製造設備Ｘ２（以下、プライマシンともいう）にて二次薬液塗工原反ロールにする。
【００４１】
プライマシンＸ２は、一次原反ロールＪＲを２つ以上セット可能であり、各一次原反ロールＪＲ，ＪＲから繰り出した一次連続シート（図示例ではＳ１１、Ｓ１２）は、その連続方向に沿って積層して積層連続シートとする重ね合わせ部（積層手段）５１に供給されるように構成されている。ここで重ね合わせ部５１は一対のニップロールで構成され、各一次連続シートＳ１１，Ｓ１２を積層するとともにニップして各一次連続シートを積層一体化ならしめる。
【００４２】
なお、図示例では、各一次原反ロールＪＲ，ＪＲから繰り出される一次連続シートＳ１１，Ｓ１２の表面が、それぞれ積層連続シートＳ２の表面（ここで積層連続シートの「表面」とは積層外面である表裏面のことである）となるようして重ね合わせ部５１に供給されるようになっている。一次連続シートＳ１１，Ｓ１２の裏面がそれぞれ積層連続シートＳ２の表面となるよう構成してもよいし、一次連続シートＳ１１，Ｓ１２のどちらか一方の裏面が積層連続シートＳ２の表面となり、他方の表面が積層連続シートＳ２の表面となるようしてもよいが、一次原反シートＳ１１，Ｓ１２の表面は、乾燥時にヤンキードライヤーの表面に接していることから裏面と比較して毛羽立ちが少なく滑らかで肌触りが良いので、一次連続シート（乾燥原紙Ｓ１）の表面が積層連続シートＳ２の表裏面を構成するようにするのが望ましい。
【００４３】
また、本実施例では一次原反ロールＪＲを２つセットしていわゆる２プライの積層連続シートを巻取る例であるが、３セット、４セットとして３プライ、４プライの積層連続シートを巻取るようにすることも可能である。
【００４４】
本発明ではプライマシンＸ２の重ね合わせ部５１の後段に薬液塗工手段９０を有し、積層連続シートに対して連続的に薬液を塗工する。
【００４５】
なお、本実施形態においてはプライマシンＸ２にて薬液を塗工する例を示すことから、ティシュペーパー製品用の薬液塗工ロールは、薬液塗工二次原反ロールを意味することになる。合わせて薬液塗工量の測定も、このプライマシンＸ２にて行なう例を示すが、本発明の薬液塗工工程及び薬液塗工量の測定工程は、プライマシン以外の設備にて薬液を塗工する場合においても適用可能であることはいうまでもない。
【００４６】
薬液塗工手段９０の後段には、本発明にかかる薬液塗工量測定手段７０があり、さらにその後段に薬液が塗工された薬液塗工積層連続シートＳ３を巻取って薬液塗工二次原反ロールＲとするための巻取り手段５６が設けられている。この巻取り手段５６は、薬液塗工積層連続シートＳ３を巻き取り手段５６に案内しつつ巻取るための一対のワインディングドラムを有している。これら２つのワインディングドラム５６Ａ，５６Ａが薬液塗工二次原反ロールＲの外周面に接して薬液塗工積層連続シートＳ３を案内しつつ巻き取りを補助する。
【００４７】
ここで、プライマシンＸ２においては巻き取り部５６の前段にスリット手段５５を設けて、薬液塗工積層連続シートＳ３を連続方向にスリットして適宜の幅とした後に、それらスリットされた薬液塗工積層連続シートＳ３を巻取ることで薬液塗工二次原反ロールＲの幅をマルチスタンド式インターフォルダに対応する適宜の幅にする。
【００４８】
本実施の形態におけるプライマシンＸ２においてされる種々の加工及び手段の詳細について以下、さらに説明する。
［重ね合わせ部〔積層手段〕］
重ね合わせ部５１は、上述のとおり一次連続シートＳ１１、Ｓ１２の搬送方向に直行する方向に設けられた一対のニップロールで構成され、各一次連続シートＳ１１，Ｓ１２を重ね合わせて積層するとともに所定のニップ圧をもって各一次連続シートを積層一体化ならしめる。
【００４９】
［カレンダー加工］
他方、プライマシンＸ２においては、重ね合わせ部５１から巻き取り部５６までの間にカレンダー部５２を一つ以上設けて積層連続シートＳ２、あるいは薬液塗工積層連続シートＳ３をカレンダー加工することができる。
【００５０】
カレンダー部５２におけるカレンダーの種別は、特に限定されないが、表面の平滑性向上と紙厚の調整の理由からソフトカレンダー又はチルドカレンダーとすることが好ましい。ソフトカレンダーとは、ウレタンゴム等の弾性材を被覆したロールを用いたカレンダーであり、チルドカレンダーとは金属ロールからなるカレンダーのことである。
【００５１】
カレンダー部の数は、適宜変更することができる。複数設置すれば加工速度が速くとも十分に平滑化できるという利点を有する一方、一つであるとスペースが狭くとも設置可能であるという利点を有する。
【００５２】
二つ以上のカレンダー部を設置する場合、水平方向、上下方向、或いは斜め方向に並設することができ、また、これらの設置方向を組み合わせて配置することができる。水平方向に並設すると、抱き角度を小さくなるため加工速度が高速とすることができ、上下方向に並設すると設置スペースを小さくすることができる。なお、ここで言う抱き角度とはロールの軸中心から見てシートが接している間（軸と直行する断面の円弧の一部）の角度を意味する（以下同じ）。
【００５３】
カレンダー加工におけるカレンダー種別、ニップ線圧、ニップ数なども制御要因として抄紙を行うようにし、これらの制御要因は、求めるティシュペーパーの品質すなわち紙厚や表面性によって適宜変更することが好ましい。
【００５４】
本実施形態に係る薬液二次原反ロールＲの製造設備Ｘ２又は製造方法においては、加工速度は３５０〜１１００ｍ／分、好ましくは７００〜１１００ｍ／分、より好ましくは９００〜１０００ｍ／分である。マルチスタンド式インターフォルダの生産性との関係により３５０ｍ／分未満だと十分な生産性とは言えない。他方、１１００ｍ／分超過であると安定的に生産するのが困難となる。特に７００ｍ／分、より好ましく９００ｍ／分であるとマルチスタンド式インターフォルダへの供給、十分なストック管理、さらに複数のマルチスタンド式インターフォルダの運用が可能になるなど生産性を高めるうえで好ましい。また、１０００ｍ／分以下とすると安定性がより優れる。
【００５５】
なお、本発明の趣旨から高速塗工とは、少なくとも速度は３５０ｍ／分以上、通常は７００ｍ／分以上、好ましくは９００ｍ／分以上を意味する。
【００５６】
［薬液塗工工程］
プライマシンＸ２にて積層連続シートＳ２に対して薬液を塗工するには、フレキソ印刷、スプレー塗工、インクジェット印刷等の薬液塗工手段９０を採用するのが望ましい。プライマシンの高速性に対応でき、しかも刷版の柔軟性、高速対応性、薬液の飛散防止、塗工量の調整が容易である等の要件からフレキソ印刷が適する。さらに、紙面に刷版ロール等を接触させないことから紙厚の低下を招かないという点では、刷版ロール等を用いず直接的に薬液を紙面に塗工する非接触形の塗工形態であるスプレー塗工、インクジェット印刷が望ましい。
【００５７】
薬液塗工手段９０は、単数或いは複数設置することができ、複数設置する場合、水平方向、上下方向、或いは斜め方向に並設しても良く、水平方向を含めたこれらの設置方向を組み合わせて配置しても良い。水平方向に並設すると抱き角度を小さくすることができるため、加工速度を高速とすることができ、上下方向に並設すると水平方向における設置スペースを小さくすることができる。
【００５８】
薬液の塗工量は、両面の合計の薬液塗工量は、０．３〜５．０ｇ／ｍ2とされ、好ましくは１．０〜３．９ｇ／ｍ2、より好ましくは２．０〜２．４ｇ／ｍ2とされる。３．９ｇ／ｍ2超過であると、紙力低下や伸びなどにより断紙したり、品質的にべたつき感が過ぎる場合も出てくる。０．３ｇ／ｍ2未満であると滑らかさやしっとり感など未塗工品との品質差を感じられなくなってしまう。より好ましく、２．０〜２．４ｇ／ｍ2とすると厚み感、しっとり感といった官能評価において極めて優れたものとなる。
なお、本発明においては、表裏面において薬液塗工量が異なるようにしてもよい。
【００５９】
薬液塗工工程で塗工する薬液については、粘度は４０℃で１〜７００ｍＰａ・ｓが望ましい。より好ましくは５０〜４００ｍＰａ・ｓ（４０℃）である。１ｍＰａ・ｓより小さいと薬液が飛散しやすくなり、逆に７００ｍＰａ・ｓより大きいと安定した塗工量とするコントロールがしにくくなる。
【００６０】
本発明に用いる薬液、すなわち測定の対象となる薬液の成分は、水及びグリセリンを含み、特にグリセリンを７０〜９０％、水分を１〜１５％、機能性薬品を０．０１〜２２％含むものであるのが望ましい。
【００６１】
機能性薬剤としては、柔軟剤、界面活性剤、無機および有機の微粒子粉体、油性成分などがある。柔軟剤、界面活性剤はティシューに柔軟性を与えたり表面を滑らかにしたりする効果があり、アニオン性界面活性剤、カチオン性界面活性剤及び両性イオン界面活性剤を適用する。無機および有機の微粒子粉体は表面を滑らかな肌触りとする。油性成分は滑性を高める働きがあり、流動パラフィン、セタノール、ステアリルアルコール、オレイルアルコール等の高級アルコールを用いることができる。
【００６２】
また機能性薬剤としてグリセリンの保湿性を維持させる薬剤として親水性高分子ゲル化剤、コラーゲン、加水分解コラーゲン、加水分解ケラチン、加水分解シルク、ヒアルロン酸若しくはその塩、セラミド等の１種以上を任意の組合せ等の保湿剤を加えることができる。
【００６３】
また機能性薬剤として香料、各種天然エキス等のエモリエント剤、ビタミン類、配合成分を安定させる乳化剤、薬液の発泡を抑え塗工を安定させるための消泡剤、防黴剤、有機酸などの消臭剤を適宜配合することができる。さらには、ビタミンＣ、ビタミンＥの抗酸化剤を含有させてもよい。
薬液塗工時の温度は３０℃〜６０℃、好ましくは３５℃〜５５℃とすることが好ましい。
【００６４】
（フレキソ印刷）
薬液塗工手段９０としてフレキソ印刷機を用いた例は図３〜９に示す。フレキソ印刷は樹脂性の弾力性がある刷版を用いるため積層連続シートＳ２の表面にクレープの多少の凹凸があっても印圧で調整可でありムラのない塗工が可能であり、特に７００ｍ／分以上、更に９００ｍ／分の高速塗工を行なっても薬液塗工積層連続シートＳ３にシワが入り難くなる。また、一つのロールで幅広い薬液の粘度に対応でき、管理、設備メンテナンスの点で利点があり、生産性向上の点でも優れる。
【００６５】
ここで、プライマシンＸ２において上記高速に積層連続シートＳ２に薬液を塗工する場合、フレキソ刷版ロールの線数は１０〜６０線、好ましくは１５〜４０線、特に好ましくは２０〜３５線とする。線数が１０線未満であると塗工ムラが多く生じてしまい、他方、線数が６０線超過であると紙粉が詰まり易くなる。
【００６６】
アニロックスロールの線数は、１０〜３００線とし、好ましくは２５〜２００線、特に好ましくは５０〜１００線とする。線数が１０線未満であると高速塗工時に塗工ムラが多く生じてしまい、他方、線数が３００線超過であると紙粉が詰まり易くなる。アニロックスロールのセル容量は、１０〜１００ｃｃとし、好ましくは１５〜７０ｃｃ、特に好ましくは３０〜６０ｃｃとする。セル容量が１０ｃｃ未満であると所望の塗工量が得られず、他方、セル容量が１００ｃｃ超過であると薬液の飛散量が多くなってしまう。
【００６７】
ここで、本発明では、薬液塗工工程において安定的に薬液が塗工できることが重要であり、操業安定性に関わる上記刷版ロール及びアニロックロールの線数は重要である。なお、貯留タンクに貯留した薬液をアニロックスロールへ薬液を移行させる方式としては、ドクターチャンバー形式、タッチロール形式など適宜の方法が採られる。これらのフレキソ印刷の各方式を採用した形態例を詳述する
【００６８】
〔ドクターチャンバー方式の実施形態例〕
フキレソ印刷におけるドクターチャンバー形式を本発明に適用した形態例を図３〜図８を参照しながら説明する。本形態例では、積層連続シートＳ２表裏面に薬液を塗工すべく二つのフレキソ印刷機９１Ａ，９１Ｂを用いている。各印刷機９１Ａ，９１Ｂにおいては、薬液の入っているドクターチャンバー９２Ａ，９２Ｂが回転可能なアニロックスロール９３Ａ，９３Ｂと対向して配置されおり、ドクターチャンバー９２Ａ，９２Ｂからアニロックスロール９３Ａ，９３Ｂに薬液を受け渡すようになっている。また、このアニロックスロール９３Ａ，９３Ｂと接し且つ積層連続シートＳ２の一面とも接する刷版ロール９４Ａ，９４Ｂが回転可能に設置されていて、このアニロックスロール９３Ａ，９３Ｂから刷版ロール９４Ａ，９４Ｂに薬液を受け渡すようになっている。そして、積層連続シートＳ２を挟んでこの刷版ロール９４Ａ，９４Ｂと対向する弾性ロール９５Ａ，９５Ｂとで積層連続シートＳ２に圧力を塗工しつつ、刷版ロール９５Ａ，９５Ｂから積層連続シートＳ２に薬液を塗工する。
【００６９】
各ドクターチャンバー９２Ａ，９２Ｂは、供給ホース９６及び返送ホース９７を介して薬液Ｌを貯留する貯留タンク９８と連結されており、薬液循環経路の一部を構成する（以下、各印刷機９１Ａ，９１Ｂについて同様の構成を説明するについては、ドクターチャンバー９１Ａ（９１Ｂ）のように一方を括弧書きで表記する場合がある）。なお、貯留タンク９８は、各ドクターチャンバーで９２Ａ，９２Ｂ共有することができる。図示はしないが、薬液循環経路を循環する薬液中に含まれる紙粉やエアーのろ過装置、ドクターチャンバー９２Ａ、９２Ｂ等の塗工装置内で薬液の温度を監視・コントロールし、薬液粘度を安定させるための中間タンクや配管ヒーターを設置することができる。
【００７０】
貯留タンク９８からドクターチャンバー９１Ａ（９１Ｂ）への薬液供給は、供給ポンプ９９によって供給ホース９６を介して加圧供給で行われ、薬液の押出量（流量）は、調整弁１００の開閉により調整される。また、ドクターチャンバー９１Ａ（９１Ｂ）から、貯留タンク９８への薬液の返送は、吸引ポンプ１０１によって返送ホース９７を介して行なわれる。
【００７１】
また、ドクターチャンバー９１Ａ（９１Ｂ）は、薬液が貯留されるチャンバー部１０２及びブレード１０３，１０４を具備する。チャンバー部１０２はアニロックスロール９３Ａ（９３Ｂ）側の端部が開口しているとともに供給ホース９６及び返送ホース９７とが接続部１０５，１０６を介して連結されており、各ホース９６，９７を介して行なわれる薬液循環の際に薬液Ｌを貯留してアニロックスロール９３Ａ（９３Ｂ）に供給する。他方、ブレード１０３，１０４は、アニロックスロール９３Ａ（９３Ｂ）と当接するように設けられ、アニロックスロール９３Ａ（９３Ｂ）に押しつけた状態で薬液Ｌの絞りを行い、アニロックスロール９３Ａ（９３Ｂ）への薬液の供給量を一定とする。
【００７２】
他方、図５に示すように、薬液Ｌの返送路となる返送ホース９７とチャンバー部１０２との接続部１０６の上面には、所定径の開口部分である孔部１０６ａが形成されており、この孔部１０６ａにより接続部内の薬液Ｌが外気接触し、吸引ポンプ１０１による薬液Ｌの吸引を行っても、薬液Ｌが外気接触して、チャンバー部１０２内の内圧を外気圧に近づけることができるように構成されている。これによってドクターチャンバー内の内圧変動が抑えられている。なお、当該孔部１０６ａは、チャンバー部１０２の内圧変動が抑えられればよいため、例えば、チャンバー部１０２の上面に連通するように形成してもよい。孔部１０６ａは、チャンバー部１０２の薬液Ｌの液面より上方であれば、側面に設けてもよい。
【００７３】
また、孔部１０６ａにはチャンバー部１０２への薬液供給過多を判別するための判別手段が設けられる。判別手段は、例えば、孔部１０６ａ側を下端として、上方に延伸した透明又は半透明のチューブ状の部材１０６ｂが例示でき、薬液Ｌを循環する過程で、薬液Ｌが孔部を介して当該チューブ１０６ｂ内に流入するか否かを目視により確認することができる。チューブ１０６ｂ内への流入が確認された場合は、チャンバー部１０２に貯留される薬液量が過多になっている（アニロックスロール９１Ａ（９１Ｂ）に対して薬液Ｌが過供給状態となっている）ことが把握できる。したがって、上記過多の状態を目視で確認した使用者は、例えば、調整弁１００操作して薬液Ｌの押出量（流量）を調整することにより、当該過多の状態を解消することができる。なお、チューブ１０６ｂは、内部が空洞で上端側が外気に接触しているため、上記孔部１０６ａの作用を相殺してしまうことはない。
【００７４】
なお、チューブ１０６ｂの上端（自由端）を下向きにして設けることで、孔部１０６ｂへの紙粉等の異物の混入を防止することができる。また、チューブ１０６ｂの上端或いは孔部にエアーフィルタを設置して紙粉等の異物の混入を防止するように構成してもよい。
【００７５】
なお、薬液Ｌのチャンバー部１０２への過供給状態は、これを自動的に判別し、使用者に判別結果を報知するように構成してもよい。
【００７６】
この例は、図６に示すように孔部１０６ａの周縁を上方向に延出させた円筒状部１０６ｃにセンサ１０６ｄを取付け、このセンサ１０６ｄからの信号を受けて報知部から判別結果を報知する。
【００７７】
センサ１０６ｄは、例えば、被検知体に向けて発光する発光素子（図示省略）と、被検知体からの反射光を受光する受光素子（図示省略）と、を含み、受光素子からの反射光の受光量に基づいて、円筒状部１０６ｃに流入する薬液Ｌの高さが、当該センサ０６ｄの設けられた高さ位置（図６に示すｙ１）に達したか否かを検知する。
【００７８】
報知部１０６ｅは、例えば、スピーカ等であり、センサ１０６ｄにより、円筒状部１０６ｃに流入する薬液Ｌの高さが、上記センサ１０６ｄの設けられた高さ位置に達したと検知された場合に、音声により使用者への報知を行う。
【００７９】
本例では、過多の状態に至った場合には、使用者は報知部１０６ｅによりその旨を知ることができ、調整弁１００を操作して薬液Ｌの押出量（流量）を調整することにより、当該過多の状態を解消することが可能となる。
【００８０】
さらに、図７に示すように、薬液Ｌのチャンバー部１０２への過供給状態の判別は、自動判別機能に加えて、円筒状部１０６ｃにニードルバルブ及びオリフィスを備えるニードルバルブ構造の調整部１０６ｆを設けて、孔部１０６ｂの外気と接触する部分の開口の量を調整するように構成することができる。このように調整部１０６ｆにより、孔部１０６ｂの実質的な開口量を調整することにで、チャンバー部１０２内の内圧変動量に応じて、孔部１０６ｂの開口量を適宜に調整することができる。従って、センサ１０３ｅにより、円筒状部１０６ｃに流入する薬液Ｌの高さが、検出位置に達したときに、薬液Ｌの押出量の調整で対処するだけでなく、調整部１０６ｆによる孔部１０６ｂの実質的な開口量の調整によって、孔部１０６ｂのエアー抜きの能力を高めて（外気との接触面積を拡張して）、チャンバー部１０２内の内圧変動を抑える対処が可能となる。これにより、内圧変動によるチャンバー部１０２内からの薬液Ｌの噴出や、アニロックスロール９３Ａ（９３Ｂ）上の薬液Ｌのドクターチャンバー９２Ａ（９２Ｂ）側への吸込み等も好適に防止され、薬液Ｌの循環が促進される。
【００８１】
他方、ドクターチャンバー方式のフレキソ印刷機は、アニロックスロール９３Ａ（９３Ｂ）は、ドクターチャンバー９２Ａ（９２Ｂ）のブレード１０３，１０４と当接するように設けられ、ドクターチャンバー９２Ａ（９２Ｂ）のチャンバー部１０２の開口より供給される薬液Ｌが周面に吸着されるように構成されている。
【００８２】
刷版ロール９４Ａ（９４Ｂ）は、周面がゴム材などの樹脂製材からなる円柱状をなし、左右端部の周面（図４に示す点Ｐ１，点Ｐ２）がアニロックスロール９３Ａ（９３Ｂ）及び弾性ロール９５Ａ（９５Ｂ）（に巻きつけられる積層連続シートＳ２）の周面に当接するように設けられ、回動可能に構成されている。
【００８３】
刷版ロール９４Ａ（９４Ｂ）は、弾性ロール９５Ａ（９５Ｂ）がｒ１方向に回動することでｒ２方向に回動するとともに、右端で当接するアニロックスロール９３Ａ（９３Ｂ）をｒ１方向に回動させる。刷版ロール９４Ａ（９４Ｂ）は、アニロックスロール９３Ａ（９３Ｂ）の周面に吸着された薬液Ｌを点Ｐ２にて取得し、ｒ２方向への回動により点Ｐ１まで搬送して積層連続シートＳ２に転写する。アニロックスロール９３Ａ（９３Ｂ）により吸着された薬液Ｌがアニロックスロール９３Ａ（９３Ｂ）の周面上に層状に不均一に残ってしまう場合でも、刷版ロール９４Ａ（９４Ｂ）の周面に移送させることで、積層連続シートＳ２に薬液Ｌを均一に転写することができる。
【００８４】
弾性ロール９５Ａ（９５Ｂ）は、刷版ロール９４Ａ（９４Ｂ）に隣接して設けられ、図示しないモータ等より駆動力が塗工されることで回動する円柱状の部材であり、周面で積層連続シートＳ２を把持できるように構成されている。そのため、弾性ロール９５Ａ（９５Ｂ）は、ｒ１方向に回動することにより、供給される積層連続シートＳ２を周面に巻き付けるとともに、刷版ロール９４Ａ（９４Ｂ）及びアニロックスロール９３Ａ（９３Ｂ）を回動させ、点Ｐ１位置まで搬送した時点で刷版ロール９４Ａ（９４Ｂ）より薬液Ｌを転写させることができる。
【００８５】
なお、弾性ロール９５Ａ（９５Ｂ）の回動の向きは、図４においてｒ１方向としたが、ｒ２方向に回動するように構成しても勿論良い。この場合、アニロックスロール９３Ａ（９３Ｂ）及び刷版ロール９４Ａ（９４Ｂ）は図４とは逆方向（つまり、アニロックスロール９３Ａ（９３Ｂ）：ｒ２方向、刷版ロール９４Ａ（９４Ｂ）：ｒ１方向）に回動する。
【００８６】
ここで、図４に示す例では、チャンバー部１０２に供給ホース９６及び返送ホース９７が各一つのみ繋がる構成であるが、チャンバー部１０２内における幅方向の薬液Ｌを均質にすべく、好ましく図８（Ａ）〜（Ｃ）に示す構造を例示できる。その図８（Ａ）は、幅広に形成されて回転軸Ｒ０廻りに回転するアニロックスロール９３Ａ（９３Ｂ）に沿って幅広の長方形状に外枠が形成されたドクターチャンバー９２Ａ（９２Ｂ）の幅方向Ｄの左右端付近の箇所に、それぞれ供給ホース９６が連結され、中央部に返送ホース９７に繋がる構造例である。図８（Ｂ）は、幅方向Ｄに３つの供給ホース９６と２つの返送ホース９７とが交互に等間隔で繋がる構造例である。図８（Ｃ）は、チャンバー部１０２の上側寄りの複数箇所にそれぞれ供給ホース９６が繋がり、下側寄りの複数箇所にそれぞれ返送ホース９７繋がる構造例である。
【００８７】
〔２ロール転写方式の実施形態例〕
次いで、フキレソ印刷における２ロール転写形式を適用した形態例を図９を参照しながら説明する。本形態例でも、積層連続シートＳ２の表裏面に薬液Ｌを塗工すべく二つのフレキソ印刷機９１Ｃ，９１Ｄを用いている。各印刷機９１Ｃ，９１Ｄにおいては、薬液Ｌの入っている薬液タンク９８Ｃ，９８Ｄに回転可能な絞りロールでもあるディップロール９２Ｃ，９２Ｄが浸され、このディップロール９２Ｃ，９２Ｄが薬液タンク９８Ｃ，９８Ｄ外で回転可能なアニロックスロール９３Ｃ，９３Ｄに接しており、適当に薬液量が調整され量の薬液をアニロックスロール９３Ｃ，９３Ｄに受け渡す。薬液Ｌをアニロックスロール９３Ｃ，９３Ｄに受け渡すに、ディップロール９２Ｃ，９２Ｄを介することから２ロール転写方式と称される。ここで、ディップロール９２Ｃ，９２Ｄは薬液タンク９８Ｃ，９８Ｄから薬液Ｌを取り上げるとともに過剰な薬液をそのままアニロックスロール９３Ｃ，９３Ｄに受け渡さないようにする調整する役割を果たす。
【００８８】
アニロックスロール９３Ｃ，９３Ｄは刷版ロール９４Ｃ，９４Ｄに接しており、ディップロール９２Ｃ，９２Ｄから転写された薬液Ｌを刷版ロール９４Ｃ，９４Ｄに受け渡す。刷版ロール９４Ｃ，９４Ｄは回転可能に設置され、アニロックスロール９３Ｃ，９３Ｄと接しているとともに、積層連続シートＳ２の一面とも接しており、積層連続シートＳ２を挟んで対向する弾性ロール９５Ｃ，９５Ｄとで積層連続シートＳ２に圧力を塗工しつつ積層連続シートＳ２に薬液Ｌを塗工する。
【００８９】
この２ロール転写方式においては、アニロックスロール９３Ｃ、９３Ｄに対してドクターブレードを設けても良く、この場合、薬液Ｌを均一に塗工できる、アニロックスロール９３Ｃ、９３Ｄから薬液Ｌが飛散してしまうことを防止できるなどのメリットを享受できるが、この反面、高速塗工ではドクターブレードを手入れしたり交換したりする頻度が高まるというデメリットはある。
【００９０】
なお、薬液タンク９８Ｃ，９８Ｄには、図示はしないが、薬液中に含まれる紙粉やエアーのろ過装置、薬液の温度を監視・コントロールし、薬液粘度を安定させるための配管ヒーター、薬液塗工積層連続シートの幅方向の水分率で塗工量を管理するための赤外線の検査機等を用いた紙幅方向の水分量とバラツキを監視するセンサ等を設置することができる。
【００９１】
〔１ロール転写形式の実施形態〕
次いで、フキレソ印刷における１ロール転写形式を本発明に適用した場合の形態例を説明する。この例は、前述の２ロール転写形式からディップロールを省略したものである（図面は省略する）。この場合、アニロックスロールが、それぞれ薬液タンクに浸されつつ回転可能に設置される。また、これらのアニロックスロールに対しては、アニロックスロール表面の薬液を掻き取るドクターブレードを設置する。このようなフレキソ１ロール転写形式は、メンテナンスが比較的容易であるという利点や、ブレードの摩耗や薬液中の紙粉等の異物の混入状態を容易に目視できるという利点を有している。
【００９２】
（スプレー塗工）
薬液塗工工程において薬液塗工手段９０としてスプレー塗工装置１１０，１１０を用いた例を図１０〜１３を参照しながら説明する。本形態例では、図１０に示すように、積層連続シートＳ２の表裏面に薬液が塗工されるようにスプレー塗工装置を設けることができる。このように表裏面にスプレー塗工するにおいては、図示例のように側方から積層連続シートＳ２の表裏面に噴霧可能にペーパーランを設計する形態、積層連続シートＳ２の表裏面に上下から噴霧する形態、上方から表裏面に噴霧するようにペーパーランを設計する形態、積層連続シートＳ２の積層を一度剥離させて、各連続シートにスプレーした後、再度積層する形態等を採ることができる。
なお、スプレー塗工では、周囲薬液が飛散しやすいことから、他の工程への影響を防止すべく、薬液塗工手段９０を被覆するフード９Ｆを設けるのがよい。
【００９３】
ここで、スプレー塗工は、具体的にはノズル式噴霧方式、ローターダンプニング噴霧方式等を採用することができる。ノズル式噴霧方式における噴霧用ノズルの型式としては、環状に噴霧する空円錐型ノズル、円形状に噴霧する充円錐型ノズル、正方形状に噴霧する充角錐型、充矩型ノズル、扇型ノズル等が挙げられ、薬液が二次連続シートの幅方向に対して均一に噴霧されるように、ノズル径、ノズル数、ノズル配列パターン、ノズル配置数、あるいは噴霧距離、噴霧圧力、噴霧角度、および噴霧液の濃度、粘度などを適宜選択して使用することができる。
【００９４】
また、ノズル式噴霧装置において霧化する方法については、一流体方式、または二流体方式の２種類の方式を選択して使用することができる。このうち一流体噴霧方式は、噴霧する薬液に対して圧搾空気を用いて直接圧力をかけてノズルから霧滴噴射する、または噴出口付近のノズル側面に開けた微細な穴からノズル内に空気を吸引して霧滴噴射する方式である。また、二流体噴霧方式は、ノズル内部で圧搾空気を噴霧する液体と混合、微粒化する内部混合型、ノズル外部で圧搾空気を噴霧する液体と混合、微粒化する外部混合型、微霧化した霧滴粒子を相互に衝突させて、霧滴粒子をさらに均質化・微粒子化する衝突型等の方式が挙げられる。
【００９５】
他方、ローターダンプニング噴霧方式については、高速回転する円盤上に噴霧する液を送り出し、円盤の遠心力によって液を微霧滴化するのであり、円盤の回転数変更によって霧滴粒子径の制御を行い、円盤上への送液量変更によって噴霧液量（塗工量）の制御を行なう。ものである。ローターダンプニング塗工装置は、少ない量の噴霧液量を霧滴の飛散を抑えつつ、顔料塗被紙表面に均一に塗工することができ、かつ噴霧速度や霧の粒子径等の調整が容易である利点がある。
【００９６】
薬液を積層連続シートＳ２表面に均一に噴霧塗工するためには、霧化された薬液の霧滴粒子径はできる限り微小であることが好ましい。しかしながら、霧滴が細かくなりすぎると噴霧した空気の跳ね返りや積層連続シートＳ２表面に随伴する空気などによって霧滴が押し流され、霧滴が積層連続シートＳ２表面に付着しにくくなる。このため、噴霧塗工方式においては噴霧距離、噴霧圧力、噴霧角度、噴霧速度を、加えて二流体方式の場合には、噴霧用の薬液と圧搾空気の混合比、および薬液の濃度や粘度等を適宜調節し、塗工条件に適した粒子径に調節することができ、さらに噴霧時に随伴空気の影響が大きい場合は、随伴空気を除去するための吸引装置や邪魔板（整流板）、上述のフード等の設置、および噴霧ノズル先端に高電圧を加えて霧滴粒子を帯電させて、顔料塗被紙への霧適の付着性を向上させる荷電電極（静電噴霧方式）などを追加してもよい。
【００９７】
二次連続シート表面に塗工されずにミストとして浮遊している霧滴粒子は、吸引・回収して再度噴霧することができる。
【００９８】
図１１には、ノズル式噴霧方式、特に二流体方式の薬液噴霧装置１１０を示した。この装置１１０は、中心に薬液通路１１０Ａが、その周囲にエアー通路１１０Ｂが形成され、薬液通路１１０Ａ先端から噴出された薬液Ｌを、エアー通路１１０Ｂから吐出されたエアーにより微霧化するものであり、ほぼ円錐形状に薬液Ｌを噴霧するようにしたものである。１１０Ｃは外部の保護ケーシングであり、紙粉などからノズルを保護すると共に、必要によりパージエアー通路を通すエアーによりノズルの清掃を行なうことができるようにしたものである。この種の薬液噴霧装置１１０は積層連続シートＳ２の幅方向に一つ又は複数間隔を置いて設けることができる。
【００９９】
前述のように噴霧した薬液の跳ね返りや積層連続シート表面に随伴する空気などによって霧滴が押し流され、霧滴が積層連続シートＳ２表面に付着しにくくなるため、図１２に示すように、一流体方式又は二流体方式の薬液噴霧手段（噴霧ノズル）の周囲から、ケーシング１５３Ｅに形成したエアー供給路から噴出させるエアー１１０Ｇにより、薬液噴霧手段（噴霧ノズル）からの噴霧薬液を取り囲むようにして薬液が積層連続シートＳ２に好適に塗工することができる。
【０１００】
図１３は、ローターダンプニング噴霧装置１２０の例である。これは必要により設けられる覆い収納室内１２０Ａに、回転ローター１２０Ｂを設け、回転ローターの噴出口１２０Ｃから薬液を積層連続シートＳ２に噴霧塗工するようにしたものである。
【０１０１】
（カーテン塗工）
薬液塗工工程において、薬液付与手段９０としてカーテンコーター１４０を用いた例を説明する。カーテンコーター１４０としては、例えば、図１４に示される従来既知のカーテンコーターが使用できる。なお、カーテンコーターは、薬液の膜を垂下させることから、積層連続シートＳ２の表裏面に塗工する場合には積層連続シートＳ２の表裏面が上方に位置するようにペーパーランを設計して各面に塗工する。
【０１０２】
図１４に示されるカーテンコーター１４０においては、予め調製された薬液Ｌは、塗液貯蔵タンクより給液ポンプ等によってコーターヘッド１４１へ送られる。前記コーターヘッド１４１の内部は、マニホールド１４１ａおよびスリット１４１ｂからなり、それぞれ高精度の仕上げが施されている。供給された薬液Ｌは、前記マニホールド１４１ａに満たされ、更にスリット１４１ｂに送られるときに通過する狭い間隙において、給液ポンプの送液による動圧の影響が軽減され、幅方向における圧力分布が均一化され、リップ１４２より流出し、垂直なカーテン膜１４３Ｌを形成する。
【０１０３】
幅方向でプロファイルが均一となった垂直カーテン膜１４３Ｌは、連続走行している積層連続シートＳ２と接触し、積層連続シートＳ２に塗工される。ここでエッジガイド１４４はコーターヘッド１４１の幅を超えず、更に積層連続シートＳ２の幅を超えて設けられ、垂直カーテン膜は積層連続シートＳ２の幅を超えて形成される。垂直カーテン膜１４３Ｌが積層連続シートＳ２の幅を超えて形成されているのは、垂直カーテン膜１４３Ｌの両端部における薬液Ｌの厚塗りを防止するためである。積層連続シートＳ２の幅を超えて流下する薬液Ｌは、受液槽１４５に回収され、塗液貯蔵タンクに戻された後再び塗工される。また、積層連続シートＳ２が切断され塗工が中断された場合も、薬液Ｌは受液槽１４５に回収されるように構成されている。
【０１０４】
連続走行している積層連続シートＳ２と垂直カーテン膜１４３Ｌとの接触部（以後、「塗工部」という。）には積層連続シートＳ２に同伴する空気流を遮蔽し、カーテン周辺の空気の回流などで垂直カーテン膜１４３Ｌが乱れることなく積層連続シートＳ２に達するようにするため遮風板１４６が設けられている。また、積層連続シートＳ２の搬送方向は、塗工部の直前でロール１４７により方向転換することにより、積層連続シートＳ２に同伴する空気の塗工部への影響を最小限にとどめるように構成されている。なお、安定した状態で塗工するためには、積層連続シートＳ２からコーターヘッド１４１下部の流出部までの高さがある程度必要とされるが、安定に適した高さは６０〜３００ｍｍ、好ましくは１００〜２５０ｍｍ、更に好ましくは１２０〜１８０ｍｍである。
【０１０５】
（インクジェット印刷）
薬液塗工工程において、薬液塗工手段９０としてインクジェット印刷機１３０を用いた例を図１５〜１７を参照しながら説明する。
図示例のとおり、本形態では、インクジェット形式とされる薬液塗工部１３０Ａ，１３０Ｂは薬液の入っているタンク１３１Ａ，１３１Ｂを有していて、このタンク１３１Ａ，１３１Ｂが薬液を噴射し得るインクジェットヘッド１３２Ａ，１３２Ａに配管を介して接続された構造とされている。これに伴って、このタンク１３１Ａ，１３１Ｂから供給ポンプ（図示しない）によりインクジェットヘッド１３２Ａ，１３２Ｂに薬液を供給するようになっている。
【０１０６】
図１５に示すように、このインクジェットヘッド１３２Ａ（１３２Ｂ）の被塗工材である積層連続シートＳ２と対向する部分には、この積層連続シートＳ２の幅分に少なくとも対応する形で、複数のノズル孔１３４を直線的に並んで設けているノズル板１３３Ａ（１３３Ｂ）が配置された構造になっている。
【０１０７】
そして、図１６に示すように、このインクジェットヘッド１３２Ａ，１３２Ｂ内には、噴射ユニット１３５が各ノズル孔に対応して複数配置されている。つまり、この噴射ユニット１３５は、ノズル孔１３４から射出する為の薬液を一時的に貯める流体室１３６と、この流体室１３６を挟んでノズル板１３３Ａ（１３３Ｂ）と対向する部分に配置された振動板１３７と、この振動板１３７に当接して流体室１３６外に配置され且つピエゾ素子等により形成される圧電素子１３８とにより、構成されている。
【０１０８】
尚、振動板１３８は、例えばステンレス鋼等の金属製の板材により形成されていて、圧電素子１３８からの振動を流体室１３６に伝達し易い構造なっている。また、圧電素子６８には、配線を介して図示しない制御装置が接続されていて、この制御装置から所定の間隔で圧電素子１３８に電圧が塗工されるようになっている。
【０１０９】
従って、タンク１３１Ａ（１３１Ｂ）からインクジェットヘッド１３２Ａ（１３２Ｂ）に供給された薬液は、各ノズル孔１３４に対応して存在する流体室１３６内に送り込まれるようになっていて、必要に応じて制御装置が圧電素子１３８に電圧を加えることで、各ノズル孔１３４から一斉に薬液が噴射されることになり、これに伴い、積層連続シートＳ３の一方の面における幅分全体に亘って薬液が塗工されことになる。
【０１１０】
尚、上記実施形態では、インクジェット形式として、オンデマンド方式でピエゾ素子を採用した構造とされているが、サーマルジェット型を採用しても良い。更に、オンデマンド方式の替りに連続して噴射可能なコンティニュアス方式の噴射装置を採用しても良い。
【０１１１】
[薬液塗工量の測定工程] 
上述の好ましく例示した薬液塗工手段９０により薬液が塗工された薬液塗工積層連続シートＳ３に対しては、本発明においては特徴的に薬液塗工量を近赤外線分光法により薬液塗工積層連続シートＳ３の搬送を止めることなく連続的に測定する。
【０１１２】
具体的には図１８及び図２に示すように、薬液塗工手段９０の後段に薬液塗工量測定手段７０を設ける。薬液塗工量測定手段７０の具体例としては、株式会社チノー製などの赤外線多成分計等を用いることができる。図示例の薬液塗工量測定手段７０は、薬液塗工積層連続シートＳ３の搬送路上に搬送方向に交わる方向に架橋された枠台７１に検出部７２が吊下げ式に取付けられており、その検出部７２にはそれらの検出データを電気信号として受けて薬液塗布量を計算する計算機（図示されない）が接続されている。
【０１１３】
検出部７２は、搬送される薬液塗工積層連続シートＳ３の薬液塗工面（表裏面）に近赤外線を照射するとともに、薬液中のグリセリンおよび水の吸光度を検出する。そして、計算機において、検出部７２で検出したグリセリンおよび水の吸光度から予め算出した検量線データに基づいてグリセリンの質量を算出し、そのグリセリンの質量から薬液塗工量を算出する。計算機でのグリセリンの質量及び薬液塗工量の算出は既知のコンピューター計算機を用いれば十分にリアルタイムで行なうことができる。
【０１１４】
検出部７２の検出面と薬液塗工積層連続シートＳ３の紙面との距離は１０〜１００ｍｍとし、検出面と相対する薬液塗工積層連続シートの測定角度は０°±１５°以内のほぼ平面平行とし、赤外線照射光に対しシートが垂直に走行するのが望ましい。つまりこれらの範囲とすると測定精度が高まる。
【０１１５】
他方、図示例の薬液塗工量測定手段７０は、薬液塗工積層連続シートＳ３の幅方向に検出部が既知のトラバース機構により図中一点鎖線矢印の如く移動可能とされており、薬液塗工積層連続シートＳ３の紙面の吸光度検出部位を薬液塗工積層連続シートＳ３の幅方向に走査させることができるように構成されている。検出部７２の移動は、既知のモータ機構、サーボ機構により連続的又は段階的に行なうことができる。塗工ムラは薬液塗工積層連続シートの幅方向で発生しやすいため、吸光度検出部位を薬液塗工積層連続シートＳ３の幅方向に走査させることを可能にすることで測定精度が高まる。なお、検出部を段階的に移動させる場合における、移動距離間隔、停止時間は適宜の設計事項である。
なお、本発明においては、薬液塗工量測定手段７０において測定した薬液塗工量に応じて、適宜薬液塗工手段における薬液塗工量を調整するようにするのが望ましい。
【０１１６】
また、塗工ムラが発生した場合、その塗工ムラを修正すべく、薬液塗工手段９０における幅方向の薬液塗工量を調整するのが望ましい。例えば、スプレー塗布における薬液吐出量やフレキソ印刷における刷版ロールへの薬液付与量を調整するのが望ましい。
【０１１７】
なお、図示例では、検出部７２が薬液塗工積層連続シートＳ３の上方から吊下げられて設けられているが、薬液塗工積層連続シートＳ３の下方に設けて、下方側から薬液塗工積層連続シートＳ３の紙面の薬液塗工量を測定するようにしてもよい。さらに、薬液塗工積層連続シートＳ３の上下に枠を架橋して、薬液塗工積層連続シートＳ３の表裏面を測定するようにしてもよい。さらに、薬液塗工量測定手段７０を複数設けて、表裏面を測定するようにしてもよい。
【０１１８】
ここで、薬液中のグリセリンおよび水の吸光度の検出等に関して述べると、本発明者らによれば、上述の本発明の薬液、すなわちグリセリンを７０〜９０％、水分を１〜１５％、機能性薬品を０．０１〜２２％含む水系薬液を原料パルプ比、ＮＢＫＰ：ＬＢＫＰ＝３０：７０〜６０：４０のセルロースを主原料とする坪量１０〜２０ｇ／ｍ2のクレープ紙からなる積層連続シート（２プライ）に前記薬液を塗工して吸光度を測定すると波長１．８μｍ〜２．５μｍの近赤外光の透過率曲線から複数の特定波長でグリセリンの吸光度のピークを判別することが可能であることが知見された。
【０１１９】
そして、それらの吸光度のピーク強度と水およびセルロースの複数の特定波長での吸光度のピークとの差異から計算される指標に基き、多変量解析により作成される検量線によって精度よく十分に薬液塗工量の測定が可能である。
【０１２０】
[コンタクトエンボス工程] 
次にコンタクトエンボス工程について述べる。図２及び図１９に示すように、本発明の薬液塗工二次原反ロールを製造するにあたっては、薬液塗工積層連続シートＳ３に対してコンタクトエンボスを塗工することができる。コンタクトエンボスは、二枚の連続シート（プライ）の剥離をし難くするエンボス加工の一種である。
【０１２１】
コンタクトエンボスは、スリット工程の前段であって上記薬液塗工量測定工程の後段で行なうのが望ましい。スリット前であるほうがシートのばたつきがなく操業トラブルのおそれが小さいからである。また、コンタクトエンボスが存在すると薬液塗工量の測定が正確に得られなくなる可能性があるからである。
【０１２２】
ここで、コンタクトエンボスを塗工するためのコンタクトエンボス手段５４は、本形態では図１９に示すように、金属ロール又は弾性ロールである受けロール５４Ｂと表面に細かい凸部１５４Ｃを有する金属製で硬質のコロ５４Ａとが所定の圧力を有して相互に外周面同士を当接しつつ、それぞれ回転可能に設置されている。そして、薬液塗工積層連続シートＳ３におけるティシュペーパーの幅方向中央に該当する部分に対して、左右各２つずつ存在する凸部５４Ｃと、受けロール５４Ｂとの間で薬液塗工積層連続シートＳ３を挟みつつ搬送することで、薬液塗工積層連続シートＳ３に対して、薬液塗工積層連続シートＳ３の連続方向に沿って層間剥離を防止するライン状のコンタクトエンボスＣＥを施すようになっている。
【０１２３】
このようにコンタクトエンボスＣＥを塗工することによって、複数の一次連続シート（図示例ではＳ１１、Ｓ１２）を積層して成る薬液塗工積層連続シートＳ３の層間剥離が効果的に防止される。なお、コンタクトエンボスＣＥは、ティシュペーパーの端部が層間剥離し難くなるように、ティシュペーパーの幅を考慮して、すなわち後段のスリット幅を考慮して両側部に位置するように形成するのが望ましい。
【０１２４】
コンタクトエンボス手段５４でコンタクトエンボスＣＥを塗工する場合、薬液塗工積層連続シートＳ３に対して薬液を塗工した後、０．３〜２．５秒、好ましくは０．３〜１．０秒以内にコンタクトエンボスＣＥを塗工するのがよい。０．３秒未満であると薬液が原紙に十分吸収されないため、受けロール５４Ｂやコロ５４Ａに薬液が付着して断紙したり、受けロール５４Ｂやコロ５４Ａに汚れが付着したりする。２．５秒を超えると、薬液を塗工した薬液塗工積層連続シートＳ３のクレープが伸びきるため、その後で工程シワが生じにくくなり、嵩高なティシュペーパー製品を得づらくなる。また、薬液塗工積層連続シートＳ３が伸びきるとドロー変動に対応できる伸びが無くなり、また吸湿、吸水により引張強度が低下しているため、断紙し易くなり操業性が落ちるという問題もある。
【０１２５】
また、このコンタクトエンボス工程において、本実施形態ではコロ５４Ａとして表面に細かい凸部５４Ｃを有した金属製で硬質のコロを用いたが、薬液塗工積層連続シートＳ３に対して層間剥離を防止するライン状の接合部分が形成できればよく、例えばコロの替りに、表面に細かい針状の部材を有したローラをコロとすることもできる。
【０１２６】
さらに、接合する為の手段としては上記例に限定されず、凸部５４Ｃの先端形状が、点状、正方形、長方形、円形、楕円形等の形状のものをコロとして用いても良く、凸部の先端形状が、細長い線状、細く斜めに伸びる線状等のものをコロとして用いても良い。
【０１２７】
他方、凸部の配列としては等間隔が考えられるが、千鳥状としたり、等間隔としなくとも良く、また、凸部を１列に配置してコンタクトエンボスを連続して塗工する他に、凸部を２列以上の複数列配置することも考えられる。そして、コンタクトエンボスを緊密に複数列塗工するように凸部が配置された群を複数並べて、複数のコンタクトエンボス群を塗工するようにしても良い。尚、接合工程としては、上記のように機械的に圧力を加えて接合する他に、超音波等の他の手段により接合しても良い。
【０１２８】
[スリット工程及び巻き取り工程] 
本実施形態における二次薬液塗工ロールの製造設備（プライマシンＸ２）では、図２に示すようにコンタクトエンボス後には薬液塗工積層連続シートＳ３をティシュペーパー製品の製品幅にスリットするスリット工程を有する。
【０１２９】
スリット加工を行なうスリット手段５５は、積層連続シートの幅方向にティシュペーパー幅の間隔を開けて並設された複数のロールカッター及び受け部からなるスリット手段とすることができる。スリットされた各積層連続シートは巻取ってマルチスタンド式インターフォルダ用の二次原反ロールとする。なお、この巻き取りの際には、マルチスタンド式インダーフォルダの形式応じて、二次原反ロールを１つ、２つ、４つ或いは６つを一つの軸に巻取って二次原反ロールユニット（以下、単にロールユニットともいう）を構成するようにすることができる。
【０１３０】
［試験例］
本発明の薬液塗工量測定方法について試験を行なったので以下に説明する。
まず、水及びグリセリンを含む溶液の近赤外線分光特性データを測定した。その結果、２．１μｍ、２．２９μｍ、２．５μｍにグリセリンのピークが確認され水及びグリセリンを含む溶液からグリセリンの吸収波長が測定可能であることが確認された。
【０１３１】
次いで、坪量１２．２ｇ／ｍ2のティシュペーパーに水系薬液０〜３．０ｇ／ｍ2、０．５ｇ／ｍ2間隔で塗工した試料を各塗工量毎に５点用意し、各試料について赤外線多成分計（株式会社チノー：ＩＲＭＡ５１２１Ｓ）を用い上記測定された吸収波長２．１μｍ（比較波長１．８μｍ）で吸光度を測定し、検量線データを作成した。この検量線と実測値のプロットの関係は、図２０のとおりであり、相関係数は０．９８６と高い数値であった。
【０１３２】
次いで、先に測定されたグリセリンの吸収波長の重回帰式を算出した。この回帰式に基づくグリセリン塗布量推定値と実測データの関係は図２１のとおりであり、相関係数は０．９８７５であり、その使用の信頼性が確認された。
【０１３３】
以上の試験により水及びグリセリンを含む薬液を薄葉紙に塗布した状態で、グリセリンの吸光度を検出・測定することができ、また、その吸光度からグリセリンの塗布量を算出することができ、もって近赤外線吸光度分析に基づいて薄葉紙に塗布した水及びグリセリンを含む水系薬液の塗布量測定が可能であることが知見された。
【符号の説明】
【０１３４】
Ｘ１…抄紙設備、ＪＲ…一次原反ロール（ジャンボロール）、Ｗ…湿紙、Ｓ１…乾燥原紙（一次連続シート）、３１…ヘッドボックス、３２…ワイヤーパート、３２ｗ…ワイヤ、３３３…プレスパート、３３Ｆ…フェルト、３４，３５…脱水ロール、３６…ヤンキードライヤー、３６Ｃ…ヤンキードライヤーフード、３７…ドクターブレード、３８…巻き取り手段、３９…ワインディングドラム、
Ｘ２…プライマシン、Ｓ１１，Ｓ１２…一次連続シート、Ｓ２…積層連続シート、Ｓ３…薬液塗工積層連続シート、５１…重ね合わせ部、５５…スリット手段、５６…巻き取り手段、
Ｌ…薬液、９０…薬液付与手段、９Ｆ…フード、９１Ａ〜９１Ｆ…フレキソ印刷機、９２Ａ，９２Ｂ…ドクターチャンバー、９２Ｃ，９２Ｄ…ディップロール（絞りロール）、９３Ａ，９３Ｂ，９３Ｃ，９３Ｄ…アニロックスロール、９４Ａ，９４Ｂ，９４Ｃ，９４Ｄ…刷版ロール、９５Ａ，９５Ｂ，９５Ｃ，９５Ｄ…弾性ロール、９６…供給ホース、９７…返送ホース、９８…貯留タンク、９８Ｃ，９８Ｄ…薬液タンク、９９…供給ポンプ、１００…調整弁、１０１…吸引ポンプ、１０２…チャンバー部、１０３，１０４…ブレード、１０５…供給ホースとチャンバー部との接続部、１０６…返送ホースとチャンバー部との接続部、１０６ａ…孔部、１０６ｂ…判別手段（チューブ）、１０６ｃ…円筒状部、１０６ｄ…センサ、１０６ｅ…報知部、１０６…調整部、
１１０…二流体方式のノズル式薬液噴霧装置、１１０Ａ…薬液通路、１１０Ｂ、１１０Ｆ…エアー通路、１１０Ｃ、１１０Ｅ…保護ケーシング、１１０Ｄ…パージエアー通路、１１０Ｇ…圧空、１２０…ローターダンプニング噴霧装置、
１３０…インクジェット、１３１Ａ，１３１Ｂ…インクタンク、１３２Ａ，１３２Ｂ…インクジェットヘッド、１３３Ａ，１３３Ｂ…ノズル板、１３４…ノズル孔、１３５…噴射ユニット、１３６…流体室、１３７…振動板、１３８…圧電素子、
１４０…カーテンコーター、１４１…コーターヘッド、１４１ａ…マニホールド、１４１ｂ…スリット、リップ…１４２、１４３Ｌ…カーテン膜、１４４…エッジガイド、１４５…受液槽、１４６…遮風板、１４７…ロール、
７０…薬液塗工量測定手段、７１…枠台、７２…検出部、
ＣＥ…コンタクトエンボス、５４…コンタクトエンボス手段、５４Ａ…コロ（エンボスロール）、５４Ｂ…受けロール、５４Ｃ…エンボス凸部。
【図１】
0005191511.tif 000002
【図２】
0005191511.tif 000003
【図３】
0005191511.tif 000004
【図４】
0005191511.tif 000005
【図５】
0005191511.tif 000006
【図６】
0005191511.tif 000007
【図７】
0005191511.tif 000008
【図８】
0005191511.tif 000009
【図９】
0005191511.tif 000010
【図１０】
0005191511.tif 000011
【図１１】
0005191511.tif 000012
【図１２】
0005191511.tif 000013
【図１３】
0005191511.tif 000014
【図１４】
0005191511.tif 000015
【図１５】
0005191511.tif 000016
【図１６】
0005191511.tif 000017
【図１７】
0005191511.tif 000018
【図１８】
0005191511.tif 000019
【図１９】
0005191511.tif 000020
【図２０】
0005191511.tif 000021
【図２１】
0005191511.tif 000022